(57)【要約】【課題】店頭における商品陳列時や流通過程において、包装箱を上下多段に重ねても、包装箱、擬似橙が破損することのなく、品質感が高く見栄えが良好で、小型・安価な重ね鏡餅包装体を提供する。【解決手段】付属品と重ね鏡餅容器２０との全高が、包装箱１０の内法高さに対して若干低く、擬似橙３０が前記包装箱１０の側壁から前側へ延びる延長部に設けられた保持壁１０６に形成された凹所に嵌入し、挟持され、前記包装箱２０の透視窓１０７越しに目視できるように、包装箱２０の手前コーナ部に収納されている重ね鏡餅包装体。【選択図】  図１
2005008168.tif 000002
【特許請求の範囲】
【請求項１】
少なくとも前面から上面にかけて、内部を透視できる透明プラスチック製フィルムが付設された透視窓を有する包装箱と、該包装箱内に収納される外観が重ね鏡餅形状に形成されかつ内部に餅が封入された重ね鏡餅容器と、飾り付け時に該重ね鏡餅容器の上に載せるプラスチック製の擬似橙と、三方、末広等の付属品と、該付属品の一部または全部を収納する付属容器と、からなる重ね鏡餅包装体であって、
前記擬似橙が前記包装箱の側壁から延びる延長部に固定され、前記透視窓を透して、前記重ね鏡餅容器の手前側部に目視できることを特徴とする重ね鏡餅包装体。
【請求項２】
少なくとも前面から上面にかけて、内部を透視できる透明プラスチック製フィルムが付設された透視窓を有する包装箱と、該包装箱内に収納される外観が重ね鏡餅形状に形成されかつ内部に餅が封入された重ね鏡餅容器と、飾り付け時に該重ね鏡餅容器の上に載せるプラスチック製の擬似橙と、三方、末広等の付属品と、該付属品の一部または全部を収納する付属容器と、からなる重ね鏡餅包装体であって、
前記包装箱に収納された、付属品の一部を収納した下側に位置する付属容器と該付属容器をその凹部に重ね合せた上側に位置する三方の受皿部と、前記重ね鏡餅容器と、の全高が前記包装箱の内法高さより若干低く、該包装箱を上下多段に重ねたときの上側の荷重を前記付属容器と受皿部と重ね鏡餅容器とが分担することを特徴とする重ね鏡餅包装体。
【請求項３】
少なくとも前面から上面にかけて、内部を透視できる透明プラスチック製フィルムが付設された透視窓を有する包装箱と、該包装箱内に収納される外観が重ね鏡餅形状に形成されかつ内部に餅が封入された重ね鏡餅容器と、飾り付け時に該重ね鏡餅容器の上に載せるプラスチック製の擬似橙と、三方、末広等の付属品と、該付属品の一部または全部を収納する付属容器と、からなる重ね鏡餅包装体であって、
前記擬似橙が前記包装箱の側壁から延びる延長部に固定され、前記透視窓を透して、前記重ね鏡餅容器の手前側部に目視でき、
かつ、前記包装箱に収納された、付属品の一部を収納した下側に位置する付属容器と、該付属容器をその凹部に重ね合せた三方の受皿部と、前記重ね鏡餅容器と、の全高が前記包装箱の内法高さより若干低く、該包装箱を上下多段に重ねたときの上側の荷重を前記付属容器と三方の受皿部と重ね鏡餅容器とが分担することを特徴とする重ね鏡餅包装体。
【請求項４】
前記擬似橙が前記包装箱の側壁から前側に延びる延長部に切施された２本のスリットによって形成された凹所に嵌入し、挟持されことを特徴とする請求項１または３に記載の重ね鏡餅包装体。
【発明の詳細な説明】
【０００１】
【発明の属する技術分野】
本発明は、正月や祝い事の際に飾り付けたり、神棚に供える重ね鏡餅に関し、特に重ね鏡餅と橙（だいだい）を対として包装箱に収納する包装体に関するものである。
【０００２】
【従来の技術】
従来、正月や祝い事の際に飾り付けたり、神棚に供える重ね鏡餅として、プラスチック製の重ね鏡餅容器に餅を柔らかい状態で封入したり、真空パック詰めの小さな餅体を封入する重ね鏡餅や、その重ね鏡餅容器の上に載せるブロー成形されたプラスチック製の擬似橙等を包装箱に収納した包装体がわが国の伝統的行事に簡易に供することができることから数多く販売されてきた。
【０００３】
そして、品質感が高く見栄えが良好で購買意欲をそそるために、上記の重ね鏡と擬似橙を重ねた状態で透明フィルムで包装し、それをプラスチック製の透明のシートを前面窓に付設した包装箱に収納して、重ね鏡餅の上に擬似橙が載った状態が目視できるようにして店頭に陳列されたり、流通過程に置かれている。
【０００４】
しかし、上記店頭の陳列時や流通過程において、重ね鏡餅容器と擬似橙を重ねた状態で収納された包装箱が上下多段に積み重ねられると、それらの重さのために下段の箱が押し潰されて、重ね鏡の上に載せられた擬似橙が変形して不良品となってしまうおそれがあるため、特許文献１では下縁部が重ね鏡餅容器の下段の外周部に当接し上部が擬似橙を覆う透明のプラスチック製のカバー体を重ね鏡餅容器に着脱自在に設けたものが開示されている。
【０００５】
また、特許文献２には、内部を透視できるように透明のプラスチック製フィルムを正面と上面の一部に設けられた透視窓に付設した包装箱と、重ね鏡餅容器と、この重ね鏡餅容器の背後の壁に添設した付属品容器とからなり、この付属品容器の凹所に納められた擬似橙が包装箱の透視窓を通して見ると、重ね鏡餅容器の上に擬似橙が載っているかのように見える重ね鏡餅包装体が開示されている。
【０００６】
【特許文献１】
特開２０００−００４８１２号公報
【特許文献２】
特開２００３−０１２０３８号公報
【０００７】
【発明が解決しようとする課題】
しかしながら、特許文献１に開示されているものは、プラスチック製のカバーが擬似橙を保護し、上部から加わる荷重を下段の重ね餅容器に伝えることにより、店頭の陳列時や流通過程において、包装箱の積み重ねによる擬似橙の破損を防止できるが、その分コスト高となり、またプラスチック製のカバーには切欠部が設けられはいるものの、上部から加わる荷重を支えるためには切欠き部の大きさには自ずと限界があり見栄えの悪影響は避けることができない。
【０００８】
また、特許文献２に開示されているものは、重ね鏡餅の背後の壁に付属品容器を添設するものであるから、その分包装箱が大きくなり、店頭の陳列時や流通過程においてスペース効率が損なわれることになり、包装箱を積み重ねたときはその積み重ねの段数によっては、包装箱、付属品容器、擬似橙が破損する可能性がある。また付属品容器は凹所を有する複雑な形状でコスト高の要因ともなる。
【０００９】
本発明は、上記問題点を解決するためになされたものであり、箱を上下多段に積み重ねても、包装箱や擬似橙が破損することがなく、店頭での陳列時や流通過程において、擬似橙が付属しているものであることが明確であり、品質感があり、見栄えが良好で購買意欲をそそリ、小型・安価な重ね鏡餅の包装体の提供を目的としている。
【００１０】
【課題を解決するための手段】
前記目的を達成するための第１の構成は、少なくとも前面から上面にかけて、内部を透視できる透明プラスチック製フィルムが付設された透視窓を有する包装箱と、該包装箱内に収納される外観が重ね鏡餅形状に形成されかつ内部に餅が封入された重ね鏡餅容器と、飾り付け時に該重ね鏡餅容器の上に載せるプラスチック製の擬似橙と、三方、末広等の付属品と、該付属品の一部または全部を収納する付属容器と、からなる重ね鏡餅包装体であって、前記擬似橙が前記包装箱の側壁から延びる延長部に固定され、前記透視窓を透して、前記重ね鏡餅容器の手前側部に目視できることを特徴とする重ね鏡餅包装体である。
【００１１】
第２の構成は、少なくとも前面から上面にかけて、内部を透視できる透明プラスチック製フィルムが付設された透視窓を有する包装箱と、該包装箱内に収納される外観が重ね鏡餅形状に形成されかつ内部に餅が封入された重ね鏡餅容器と、飾り付け時に該重ね鏡餅容器の上に載せるプラスチック製の擬似橙と、三方、末広等の付属品と、該付属品の一部または全部を収納する付属容器と、からなる重ね鏡餅包装体であって、前記包装箱に収納された、付属品の一部を収納した下側に位置する付属容器と該付属容器をその凹部に重ね合せた上側に位置する三方の受皿部と、前記重ね鏡餅容器と、の全高が前記包装箱の内法高さより若干低く、該包装箱を上下多段に重ねたときの上側の荷重を前記付属容器と受皿部と重ね鏡餅容器とが分担することを特徴とする重ね鏡餅包装体。
【００１２】
第３の構成は、少なくとも前面から上面にかけて、内部を透視できる透明プラスチック製フィルムが付設された透視窓を有する包装箱と、該包装箱内に収納される外観が重ね鏡餅形状に形成されかつ内部に餅が封入された重ね鏡餅容器と、飾り付け時に該重ね鏡餅容器の上に載せるプラスチック製の擬似橙と、三方、末広等の付属品と、該付属品の一部または全部を収納する付属容器と、からなる重ね鏡餅包装体であって、前記擬似橙が前記包装箱の側壁から延びる延長部に固定され、前記透視窓を透して、前記重ね鏡餅容器の手前側部に目視でき、かつ前記包装箱に収納された、付属品の一部を収納した下側に位置する付属容器と該付属容器をその凹部に重ね合せた上側に位置する三方の受皿部と、前記重ね鏡餅容器と、の全高が前記包装箱の内法高さより若干低く、該包装箱を上下多段に重ねたときの上側の荷重を前記付属容器と受皿部と重ね鏡餅容器とが分担することを特徴とする重ね鏡餅包装体。
【００１３】
第４の構成は、前記第１または第３の構成において、前記擬似橙が前記包装箱の側壁から前側に延びる延長部に切施された２本のスリットによって形成された凹所に嵌入し、挟持されことを特徴とする重ね鏡餅包装体。
【００１４】
【発明の実施の形態】
以下、本発明の実施形態について図に基づいて説明する。
【００１５】
図１は本実施形態における重ね鏡餅容器、擬似橙等を包装箱に収納した図である。
【００１６】
図１において、２０はプラスチック製の重ね鏡餅容器で、内部に柔らかい状態の餅２０１を封入し、冷却・固化させ、下面に密閉シートを貼着したものであり、中央部には水引２０２が飾り付けられている。３０はブロー成形したブラスチック製の擬似橙であり、実物状の蔕３０１、葉３０が付されている。
【００１７】
１０は厚手の紙で製作された包装箱であり、この内部には付属品を収納した付属容器（不図示）と、この付属容器をその凹部に重ね合わせた三方の受皿部４０４１が収納され、その上に重ね鏡餅２０１が封入された重ね鏡餅容器２０が収納され、最後に擬似橙３０が重ね鏡餅容器２０の前面側部に包装箱の透視窓から目視できる位置に収納されている。
【００１８】
付属容器は包装箱１０に対して、左右・前後の両方向ともに僅かの隙間をとって包装箱の底部に収納されている紙製の扁平な箱であり、内部に付属品として、末広、敷紙、御幣、三方の脚部等が収納されている。
【００１９】
図２は本実施の形態における重ね鏡餅容器、擬似橙等を飾り付けした状態を示した斜視図である。
【００２０】
図２において飾り付けは、受皿部４０４１と脚部４０４２を組立てた三方４０４の上に敷紙４０２を敷き、その上に水引２０２が飾り付けられた重ね鏡餅容器２０と擬似橙３０を載せ、さらにその上に末広４０１が載せられている。擬似橙３０と末広４０１の下面には両面接着テープが予め貼着されており、飾り付け時に、両面接着テープの保護紙を剥がして、擬似橙３０は重ね鏡餅容器２０にと、末広４０１は擬似橙３０に接着固定される。
【００２１】
図３は本実施形態における包装箱の展開図である。
【００２２】
図３において、１０１は下面壁、１０２は上面壁、１０３、１０４は側面壁である。１０１１、１０１２は下面壁の合せ面、１０３１、１０３２は側面壁の合せ面であり、合せ面１０３２から擬似橙３０を嵌入し、挟持する長方形の保持壁１０６が延長して設けられ、保持壁１０６には２本のスリット１０６１が平行に切施されている。
【００２３】
１０５は上面壁１０２に接続する前面壁であり、上面壁１０２から前面壁にかけて多角形からなる透視窓１０７が設けられており、この透視窓には長方形の透明のプラスチック製のフイルム１０７１が接着固定されている。１０５１は前面壁１０５の端部に設けられた合せ面であり、１０４１、１０４２は側面壁１０４に設けられた合せ面である。
【００２４】
１点鎖線ａ〜ｍは上記展開図を箱体に組立てる時の折曲げ線であり、折曲げを容易にするためブランク時に予めプレス加工がされている。
【００２５】
次に、上記展開図を箱体に組立てる手順について説明する。
【００２６】
まず、折曲げ線ａ、ｃ、ｉ、ｋで合せ面１０１２、１０２１および側壁面１０３１、１０４１が内側となるように折曲げ、合せ面１０１１の表面と側壁面１０４の端部とを接着剤で接着固定し４角の筒状体とする。
【００２７】
次に、折曲げ線ｂ、ｄ、ｊ、ｍで折曲げ、合せ面１０３１、１０４１を内側に折曲げると同時に、合せ面１０１１と１０１２とを拝み合せ、合せ面１０１２のコーナ部１０１２１と側壁面１０３１と、合せ面１０２１のコーナ部１０２１１と側壁面１０４１とを接着剤で固定し背面壁とする。
【００２８】
次に、折曲げ線ｅとｌで合せ面１０３２、１０４２を内側に折曲げ、続いて折曲げ線ｇで前面壁１０５を内側に折曲げ、合せ面１０５１を折曲げ線ｈで内側に９０度に折曲げ、合せ面１０５１の全長を下面壁１０１の内面と付属容器の下面間に挿入し平行６面体とする。
【００２９】
これによって、包装箱１０が完成する。合せ面１０３２、１０４２、１０５１には接着剤は使用しない。
【００３０】
図４は本実施の形態における擬似橙を包装箱に収納した時の説明図であり、包装箱に収納した擬似橙を上側から見たものである。
【００３１】
図４において、擬似橙３０の包装箱１０への収納および固定方法について詳細に説明する。
【００３２】
まず、上記の手順で組立てられた包装箱１０の前面壁１０５を手前側上方に開き、合せ面１０３２と保持壁１０６を手前側右方に開く。
【００３３】
末広４０１、敷紙４０２等の付属品の収納された付属容器を、三方４０４の受皿部４０４１の凹部に重ね合わせて包装箱１０に収納し、その上に重ね鏡餅２０１の封入された重ね鏡餅容器２０を収納し、その後保持壁１０６の２本のスリット１０６１間を押して菱形状に広げ、その菱形状部に擬似橙３０を押込み、蔕３０１が手前を、葉３０２の先端が右側を向くようにして、擬似橙３０を上下の帯び状部１０６２間に嵌入し、挟持する。
【００３４】
そして、保持部１０６を折曲げ線ｆで内側に折曲げ、保持部１０６の先端が重ね鏡餅容器２０の大径部の側面に達するまで押込む。
【００３５】
この状態では、擬似橙３０の蔕３０１は包装箱１０の略左側を向く位置に、葉３０２の先端は包装箱１０の手前側を向く位置に収納される。
【００３６】
最後に、最初に開いた前面壁１０５を下方に閉じ、合せ面１０５１の全長を下面壁１０１の内面と付属容器の下面間に、挿入して全ての収納作業が終了する。
【００３７】
付属容器をその凹部に重ね合せた三方４０４の受皿部４０４１と、重ね鏡餅容器２０の底面２０３の形状は隅部にＲを付した長方形をなし、包装箱１０の下壁面１０１の内面形状に対して若干小さく作られており、また付属容器をその凹部に重ね合せた三方４０４の受皿部４０４１と重ね鏡餅容器との全高は、包装箱１０の内法高さに対して若干低く作られているので、これらの包装箱への収納は容易であり、搬送時等に包装箱１０の内部で収納物が踊ることはなく、包装箱１０を多段に重ねても、重ね鏡餅容器２０と付属容器をその凹部に重ね合わせた三方４０４の受皿部４０４１とが荷重を分担して、包装箱が破損することはない。また擬似橙には荷重が掛かることがないので破損することがない。
【００３８】
また、付属容器は三方４０４の受皿部４０４１の凹部に重ね合わせて収納されているので、包装箱１０は小型であり、擬似橙３０は包装箱１０の透視窓を透して、重ね鏡餅容器２０の斜め前方に目視されるので、水引２０２の付けられた重ね鏡餅容器２０の目視が妨げられることがなく、品質感が高く見栄えが良好で、購買意欲をそそる重ね鏡餅の包装体を提供できるという効果を有する。
【００３９】
なお、本実施の形態においては、保持壁１０６は合せ面１０３２と一体に構成したが、別体として貼着、クリップ止め等の結合としてもよい。また擬似橙は包装箱の左側前方配置としてもよい。
【００４０】
また、本実施の形態においては、保持壁１０６の２本のスリット１０６１間を押して菱形状に広げ、その菱形状部に擬似橙３０を押込み、蔕３０１が手前側を、葉３０２の先端が右側を向くようにして、保持部１０６の先端が重ね鏡餅容器２０の大径部の側面に達するまで押込んだときには、擬似橙３０の蔕３０１は包装箱１０の略左側を向く位置に、葉３０２の先端は包装箱１０の手前側を向く位置に収納したが、蔕３０１を上向きにし、その蔕を菱形状部の内側に入れ、帯状部１０６２に引掛けるようにし、葉３０２を手前やや右側となる位置にして、保持部１０６の先端が重ね鏡餅容器２０の大径部の側面に達するまで押込んだときには、葉３０２の先端が左前方を向くようにしてもよい。
【００４１】
【発明の効果】
本発明は、重ね鏡餅容器、擬似橙の包装箱への収納が容易で、搬送時に収納物が包装箱の内部で踊ることがなく、店頭での商品陳列時や流通過程において、多段に重ねても包装箱や擬似橙が破損することがない。
【００４２】
また、擬似橙は包装箱の透視窓を透して重ね鏡餅容器の斜め前方に目視でき、品質感が高く、見栄えが良好で購買意欲をそそる小型で安価な重ね鏡餅の包装体を提供できるという効果を有する。
【図面の簡単な説明】
【図１】本実施形態１における重ね鏡餅容器、擬似橙等を包装箱に収納した図である。
【図２】本実施の形態における重ね鏡餅容器、擬似橙等を飾り付けた状態を示した斜視図である。
【図３】本実施の形態における包装箱の展開図である。
【図４】本実施の形態における擬似橙を包装箱に収納した時の説明図である。
【符号の説明】
１０：包装箱
１０１：下面壁
１０１１：合せ面
１０１２：背面壁      １０１２１：コーナ部（接着面）
１０２：上面壁
１０２１：背面壁      １０２１１：コーナ部（接着面）
１０３、１０４：側面壁
１０３１、１０３２、１０４１、１０４２：合せ面
１０５：前面壁
１０５１：合せ面
１０６：保持壁
１０６１：スリット    １０６２：帯状部
１０７：透視窓
１０７１：フイルム（透明）
２０：重ね鏡餅容器
２０１：重ね鏡餅
２０２：水引
２０３：底面（基板部）
３０：擬似橙
３０１：蔕
３０２：葉
４０：付属品
４０１：末広
４０２：敷紙
４０３：御幣
４０４：三方
４０４１：受皿部
４０４２：脚部
【図１】
2005008168.tif 000003
【図２】
2005008168.tif 000004
【図３】
2005008168.tif 000005
【図４】
2005008168.tif 000006